(57)【要約】  本発明は、入力キー（３２）の３Ｄモデル化画像の表示が可能な表示部と、前記画像の制御及び提供を行う画像制御装置とを備えた携帯通信装置（３０）に関する。さらに、周辺光状態に関するデータを収集するように検出器要素が携帯通信装置に配設される。上記画像制御装置は、３Ｄモデル化キーの周りに影を作り出すことによって、前記周辺光状態において３次元画像が自然に見えるように、上記収集したデータに基づいて３次元画像をモデル化するように配設される。
2011520308.tif 000002
【特許請求の範囲】
【請求項１】
携帯通信装置（２）であって、
３Ｄモデル化画像の表示が可能な表示部（１２）と、
前記画像を制御し、かつ、前記画像を提供するための画像制御装置（２２）とを備え、
検出器要素（１８）は、周辺光状態に関するデータを収集するために前記携帯通信装置（２）上に配設され、
前記画像制御装置（２２）は、前記３次元画像が前記周辺光状態において自然に見えるように該３次元画像をモデル化する
ことを特徴とする携帯通信装置。
【請求項２】
前記検出器要素（１８）は広角レンズを備えたカメラであることを特徴とする請求項１に記載の携帯通信装置（２）。
【請求項３】
前記検出器要素（１８）は低解像度カメラであることを特徴とする請求項２に記載の携帯通信装置（２）。
【請求項４】
前記検出器要素（１８）は、前記表示部（１２）と同一平面に椀状に配設されることを特徴とする請求項１乃至３のいずれか１項に記載の携帯通信装置（２）。
【請求項５】
前記検出器要素（１８）は少なくとも９０°、好ましくは少なくとも１６０°の広角度範囲を有することを特徴とする請求項１乃至４のいずれか１項に記載の携帯通信装置（２）。
【請求項６】
前記検出装置（１８）は色変動を検出するように構成されることを特徴とする請求項１乃至５のいずれか１項に記載の携帯通信装置（２）。
【請求項７】
前記検出器要素（１８）は、前記周辺光状態マップを作成する画像処理装置（２０）に接続されることを特徴とする請求項１乃至６のいずれか１項に記載の携帯通信装置（２）。
【請求項８】
前記画像処理装置（２０）は、周辺光状態マップを前記画像制御装置（２２）に提供するために、前記画像制御装置（２２）に接続されることを特徴とする請求項７に記載の携帯通信装置（２）。
【請求項９】
バックライト制御装置（２４）をさらに備え、該バックライト制御装置（２４）は、前記周辺光状態マップに応じて前記バックライトを制御できるように、前記画像処理装置（２０）に接続されることを特徴とする請求項１乃至８のいずれか１項に記載の携帯通信装置（２）。
【請求項１０】
携帯通信装置（２）の表示部（１２）に表される前記３次元画像の外見を制御する方法であって、
前記表示部（１２）の平面に対して少なくとも９０°の広角度範囲内の周辺光状態に関するデータを収集するステップと、
前記収集済みデータを処理して周辺光状態マップに変換するステップと、
前記周辺光のマップに応じて前記３次元画像のモデル化を行うステップと、
前記モデル化３次元画像を前記表示部装置（１２）に表示するステップと、
を有することを特徴とする方法。
【請求項１１】
前記周辺光のマップに応じてバックライト制御装置（２４）を制御するステップをさらに有することを特徴とする請求項１０に記載の３次元画像の外見を制御する方法。
【発明の詳細な説明】
【技術分野】
【０００１】
本発明は、携帯通信装置(portable communication device)の分野に関し、特に３次元（３Ｄ）で画像を表示する表示部を備えた携帯通信装置に関する。さらに、本発明は、携帯通信装置の表示部に表される３次元画像の外見を制御する方法に関する。
【背景技術】
【０００２】
セルラ電話機のような携帯通信装置は、例えば、従来のＴＦＴディスプレイ、立体ディスプレイ、又は、他の任意の種類の表示手段のようなＭＭＩ（マン・マシン・インタフェース）を提供することができる。今日、上記のディスプレイは通常立体感の無い画像を表示するが、ユーザが３Ｄ画像として画像を経験できるようにディスプレイへの出力のモデル化がますます普通のことになりつつある。
【０００３】
２、３年もすれば、ユーザが３次元画像を見たり、経験できたりするような３Ｄモデル化画像がセルラ電話機においてもおそらく普通のことになるであろう。この３次元画像は特徴、特に現実感のある改善された画像に関する特徴をおそらく電話機に加えることになるであろう。
【０００４】
しかし、今日ユーザがどのように３Ｄ画像の外見を経験しているかという問題が依然として存在する。一定の周辺光条件を有する環境において自然に見える３Ｄ画像のモデル化は容易であるかもしれない。しかし、現実には上記のような一定の周辺光条件を有する環境でモデル化が行われるケースは稀である。そのため、例えば室内などで照度条件が変動すると、今日の３Ｄ画像は自然なものには見えなくなる。ユーザは、３Ｄ画像が少し奇妙に見える理由について手掛かりをつかめないことの方が多いが、何かおかしいとは感じる。これが生じる理由として、電話機の物理的なキーの影と３Ｄモデル化画像の影とが必ずしも一致しないということが挙げられる。このようなことが３Ｄ画像を不自然に見えさせている要因である。
【発明の概要】
【発明が解決しようとする課題】
【０００５】
本発明は不自然に見える３Ｄ画像の問題の解決を目的とするものである。
【０００６】
本発明の１つの目的は、今日の複数の可能性に比べて改善された特徴を持つ携帯通信装置をＭＭＩ用として提供することである。
【課題を解決するための手段】
【０００７】
本発明の第１の側面によれば、本目的は携帯通信装置によって達成され、該携帯通信装置は、
３Ｄモデル化画像の表示が可能な表示部と、
前記画像を制御し、かつ、前記画像を提供する画像制御部（２２）と、
周辺光状態に関するデータを収集するように携帯通信装置（２）に配設された検出器要素（１８） と、を備え、
前記画像制御部（２２）は、前記周辺光状態において自然に見えるように３次元画像をモデル化するように構成される。
【０００８】
本発明の第２の側面は、第１の側面の特徴を含む携帯通信装置を目的とし、この場合、前記検出器要素は広角レンズを備えたカメラである。
【０００９】
本発明の第３の側面は、第２の側面の特徴を含む携帯通信装置を目的とし、この場合、前記検出器要素は低解像度カメラである。
【００１０】
本発明の第４の側面は、前出の側面のいずれか１つの側面の特徴を含む携帯通信装置を目的とし、この場合、前記検出器要素は前記表示部と同一平面に椀(bowl)状に配設される。
【００１１】
本発明の第５の側面は、前出の側面のいずれか１つの側面の特徴を含む携帯通信装置を目的とし、この場合、前記検出器要素１８は、少なくとも９０°、好ましくは少なくとも１６０°の広角度範囲を有する。
【００１２】
本発明の第６の側面は、前出の側面のいずれか１つの側面の特徴を含む携帯通信装置を目的とし、この場合、前記検出器装置は色変動を検出するように配設される。
【００１３】
本発明の第７の側面は、前出の側面のいずれか１つの特徴を含む携帯通信装置を目的とし、この場合、前記検出器要素は周辺光状態マップを作成するように配設された画像処理部に接続される。
【００１４】
本発明の第８の側面は、第７の側面の特徴を含む携帯通信装置を目的とし、この場合、前記画像処理部は周辺光状態マップを画像制御部に提供するように配設され、かつ、画像制御部に接続される。
【００１５】
本発明の第９の側面は、前出の側面のいずれか１つの側面の特徴を含む携帯通信装置を目的とし、該携帯通信装置はバックライト制御装置をさらに備え、このバックライト制御装置は、該バックライト制御装置が周辺光状態マップに応じてバックライトを制御できるように配設され、かつ、画像処理部に接続される。
【００１６】
本発明の第１０の側面は、携帯通信装置の表示部において３次元画像の外見を制御する方法を目的とし、該方法は、
表示部の平面に対して、少なくとも９０°の広角度範囲内の周辺光状態に関するデータを収集するステップと、
上記収集データを処理して周辺光状態マップに変えるステップと、
上記周辺光マップに応じて３次元画像をモデル化するステップと、
上記モデル化３次元画像を表示部に表示するステップと、を有する。
【００１７】
本発明の第１１の側面は、第１０の側面の特徴を含む携帯通信装置の表示部において３次元画像の外見を制御する方法を目的とし、該方法は、
上記周辺光マップに応じてバックライト制御装置（２４）を制御するステップをさらに有する。
【００１８】
本発明には多数の利点がある。例えば、自然に見える３Ｄ画像のモデル化は今日可能であり、３Ｄモデル化画像と電話機の物理的なキーとの間には外見上まったく違いが存在しない。さらに、検出器要素の出力を利用して３Ｄ画像を制御できるだけでなく、検出器要素の出力をバックライト制御装置により利用して電池の節約を高めるようにすることが可能である。
【００１９】
本明細書で使用される場合、「備える／備えている（comprises／comprising）」という用語は、言及された特徴、整数、ステップ又は構成の存在を特定するために用いられるが、１以上の他の特徴、整数、ステップ、構成、又はこれらのグループの存在又は追加を除外するものではないことを強調しておく。
【００２０】
以下、添付図面に関連してさらに詳細に本発明について説明する。
【図面の簡単な説明】
【００２１】
【図１】本発明の実施形態に係る３Ｄディスプレイを備えたセルラ電話機の形の携帯通信装置の正面図を概略的に示す。
【図２】図１に例示のセルラ電話機の関連部分の簡略ブロック図を概略的に示す。
【図３】異なる周辺光条件を有するセルラ電話機の２つの正面図を示す。
【発明を実施するための形態】
【００２２】
本発明の携帯通信装置を、その好適な変形例であるセルラ電話機に関連して説明する。しかし、この携帯通信装置は、コードレス電話機、通信モジュール、ＰＤＡ又はラップトップコンピュータ、あるいは、電波を用いて通信を行う他の任意の種類の携帯機器のような別の種類の装置であってもよい。
【００２３】
図１は本発明の実施形態に係るセルラ電話機２の正面図を概略的に示す。電話機２には、ディスプレイ１２の下部に設けられたキーパッド上の複数のキー１０、ラウドスピーカ１４及びマイク１６のような入出力装置が含まれている。これらの入出力装置はすべて携帯通信装置に関連する一般的な特徴であり、当業者には周知のものである。したがって、これらの入出力装置については詳細には記載しない。
【００２４】
しかし、ディスプレイ１２は３Ｄモデル化画像の出力機能を有するディスプレイである。このディスプレイは、表示画像に奥行き感を与える３Ｄ機能を有する改善された立体ディスプレイ、あるいは、従来のＴＦＴディスプレイも含む任意の好適なディスプレイであってもよい。したがって、本発明の範囲から逸脱することなく、３Ｄ機能を提供するための偏光ガラス等を含むディスプレイもまた可能なディスプレイである。このような技術及び他の３Ｄ画像変換技術は当業者には周知の技術であるため、本書面ではこれら技術のさらに詳細な説明は行わないことにする。３Ｄモデル化画像がディスプレイに表示可能である限り、本発明は使用されるディスプレイの種類に依存しないことは明らかである。
【００２５】
図１に描かれている電話機２には検出器要素１８がさらに設けられる。検出器要素１８は電話機２を取り巻く周辺光状態に関するデータを収集するために設けられている。検出器要素１８は周囲の光のマッピングが可能な光センサであることが望ましい。本発明の好適な実施形態では、光センサ１８は広角レンズを備えた単純な低解像度カメラである。広角度は、垂直方向と水平方向の両方向に、ディスプレイ１２の平面に対して１８０°に近い角度であることが望ましい。本発明の好適な実施形態では、広角度は少なくとも１６０°であることが望ましい。とはいえ、少なくとも９０°の広角度を用いることも可能である。しかし、この広角度の使用は３Ｄモデル化画像の画質に影響を与えることは言うまでもない。本明細書の文脈では、低解像度という用語によって、１２８×１２８又はそれ以下の個数の画素の解像度が意味されていることを理解すべきである。しかし、周辺光データの収集が可能な任意のカメラや光センサの使用は本発明の範囲に属する。低解像度カメラが望ましい理由として、低解像度カメラが３Ｄモデル化画像の画質に著しい影響を与えることなく、コスト効率がよいという点が挙げられる。
【００２６】
物理的には、光センサ１８は、電話機２の前面上の、ディスプレイ１２と同じ面に配設される。好適な実施形態では、光センサ１８は人間の目の機能と同じ様に椀(bowl)状に配設される。しかし、ディスプレイ１２の面に対して少なくとも９０°、好ましくは少なくとも１６０°の範囲内の周辺光データの収集が可能である限り、光センサの配設方法、あるいは、光センサの見え方は重要な問題ではない。そのため、センサは広範囲の光度内のデータ収集が可能であることが重要である。好適な実施形態では光センサ１８は色変動の検出も可能である。
【００２７】
次に、図２を参照すると、図２は、１つの実施形態に係る本発明に関連する図１に例示の電話機内部の簡略ブロック図を概略的に示す図である。したがって、本発明と直接関係のない信号処理部分等々の従来からある部分は、本発明をよりよく理解するために、本図面では省かれている。というのは、本発明のこれらの部分及び機能は、セルラ電話機２などの携帯通信装置に係る当業者には周知のものであると考えられるからである。
【００２８】
本実施形態では、電話機２には３Ｄモデル化画像を表示する表示部１２が含まれている。表示部１２は一般に従来のＴＦＴディスプレイ、立体ディスプレイ等であり、これらディスプレイ自体は周知のものである。
【００２９】
さらに、電話機は、検出器要素１８に接続され、かつ、周辺光状態２６のマップを作成するように配設された画像処理装置２０を含む。そのため、検出器要素１８の出力信号は画像処理装置２０へ送られる。検出器要素１８から得られる出力信号が画像処理装置２０において受信されると、電話機２の周辺光状態マップを作成するために上記出力信号の処理と分析とが行われる。本発明の文脈において用語「マップ」の意味は広義に解釈されるべきであり、かつ、周辺光状態を特定する何らかの表現を含むことは明らかである。したがって、マップは電話機２の周囲にある主要な光源をすべて特定する。本発明の好適な実施形態では、マップはまた光源の様々な色を特定することも可能である。低解像度カメラが検出器要素１８として用いられる本発明の別の好適な実施形態では、低解像度カメラの画像自体を周辺光状態マップとして利用してもよい。
【００３０】
図２は画像制御装置２２をさらに示す図であり、画像制御装置２２の入力部は画像処理装置２０の出力部に接続されている。画像制御装置２２は、ディスプレイ１２への出力手段、すなわち、ボタン、スクロール・バー、ノブ等のようなフィーチャの３Ｄモデル化を行う。３Ｄ画像をモデル化する場合、画像制御装置２２は周辺光状態マップを利用して実際の光がフィーチャを照明するようにフィーチャを照明する。したがって、キー１０から生じる影はユーザが経験する３Ｄモデル化フィーチャの影と一致することになる。
【００３１】
表示部がアクティブモード状態のとき検出器要素１８は周辺光データを連続的に更新するので、ユーザが電話機２を回転させると、周辺光が変動する態様に従って３Ｄモデル化画像は外見をシフトさせる。上述したように、３Ｄ画像のモデル化の際に写真自体も利用する場合、その写真を利用して環境マッピングが可能となるため、環境を反映した３Ｄ画像のモデル化が可能となる。
【００３２】
図２には、それ自体周知のものであるバックライト制御装置２４がさらに含まれている。本発明の好適な実施形態では、検出器要素１８、したがって画像処理装置２０から得られる出力は３Ｄ画像のモデル化に利用されるだけではなく、バックライト制御装置２４への入力データとしても利用される。この入力データの利用によって、画像処理装置はより好適なバックライトの制御が可能になり、電池が節約されることになる。
【００３３】
画像処理装置２０は通常、マップ作成用プログラム実行プロセッサと、該プロセッサにより参照されるメモリとを備える。プロセッサは特別の専用プロセッサであってもよいし、電話機内で他の目的に使用されるマイクロプロセッサのようなプロセッサであってもよい。また画像制御装置２２は、３Ｄ画像のモデル化を行うプログラムを実行するプロセッサ及びメモリも備える。この場合もまた、上記プロセッサは専用プロセッサや、電話機内で他の目的に使用されるプロセッサであってもよい。
【００３４】
図３は、異なる周辺光状態を有する２台の電話機が本発明に係る３Ｄモデル化を用いてどのように見えるかを示す図である。電話機の表示部は、バンプマッピングされたストーンテクスチャ３０と、ラベルが浮き出た２つのソフトキー３２とを示す。図３の左側にある電話機の場合、左上部から周辺光が入り、光の影はソフトキーの底部及び右側に見える。図３の右側にある電話機の場合、周辺光は代わりに右下部から入って来る。したがって、右側にある電話機のソフトキーの影はソフトキーの上部及び左側に見えることになる。
【００３５】
本発明に係る携帯通信装置は上記で開示された方法以外の複数の方法で変更することが可能である。例えば、特別の検出器要素を使用する代わりに、テレビ電話通話を行うためのカメラのような電話機の前面に予め設けたカメラを使用することも可能であろう。しかし、このようなカメラは少なくとも９０°の範囲を持つ広角レンズを備える必要があることを覚えておくことが重要である。たとえ当業者には自明の特定の特徴を有する好適な実施形態を用いて本発明を説明するものであっても、別の実施形態又は別の実施形態における他の個々の特徴と、１つの実施形態における個々の特徴とを組み合わせることも可能であることを理解されたい。
【図１】
2011520308.tif 000003
【図２】
2011520308.tif 000004
【図３】
2011520308.tif 000005
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
携帯通信装置（２）であって、
３Ｄモデル化画像の表示が可能な表示部（１２）と、
前記画像の外見を制御し、かつ、前記画像を提供するための画像制御装置（２２）と、
前記携帯通信装置上に配置され、前記表示部（１２）の面に対し少なくとも９０°の広角度範囲で周辺光状態に関するデータを収集するための検出器要素（１８）と、
収集したデータを周辺光状態のマップに変換する画像処理部（２０）とを備え、
前記画像制御装置（２２）は、前記周辺光状態のマップに応じて、３次元画像の影が前記携帯通信装置の物理的なキー（１０）の影に一致するように、前記３次元画像をモデル化する
ことを特徴とする携帯通信装置。
【請求項２】
前記検出器要素（１８）は広角レンズを備えたカメラであることを特徴とする請求項１に記載の携帯通信装置（２）。
【請求項３】
前記検出器要素（１８）は低解像度カメラであることを特徴とする請求項２に記載の携帯通信装置（２）。
【請求項４】
前記検出器要素（１８）は、前記表示部（１２）と同一平面に椀状に配設されることを特徴とする請求項１乃至３のいずれか１項に記載の携帯通信装置（２）。
【請求項５】
前記検出器要素（１８）は少なくとも１６０°の広角度範囲を有することを特徴とする請求項１乃至４のいずれか１項に記載の携帯通信装置（２）。
【請求項６】
前記検出装置（１８）は色変動を検出するように構成されることを特徴とする請求項１乃至５のいずれか１項に記載の携帯通信装置（２）。
【請求項７】
バックライト制御装置（２４）をさらに備え、該バックライト制御装置（２４）は、前記周辺光状態マップに応じて前記バックライトを制御できるように、前記画像処理装置（２０）に接続されることを特徴とする請求項１乃至６のいずれか１項に記載の携帯通信装置（２）。
【請求項８】
携帯通信装置（２）の表示部（１２）に表される前記３次元画像の外見を制御する方法であって、
前記表示部（１２）の平面に対して少なくとも９０°の広角度範囲内の周辺光状態に関するデータを収集するステップと、
前記収集済みデータを処理して周辺光状態マップに変換するステップと、
前記周辺光状態のマップに応じて、３次元画像の影が前記携帯通信装置（２）の物理的なキー（１０）の影に一致するように、前記３次元画像をモデル化するステップと、
モデル化された３次元画像を前記表示部（１２）に表示するステップと
を有することを特徴とする方法。
【請求項９】
前記周辺光のマップに応じてバックライト制御装置（２４）を制御するステップをさらに有することを特徴とする請求項８に記載の３次元画像の外見を制御する方法。
【手続補正書】
【提出日】平成22年10月14日(2010.10.14)
【手続補正１】
【補正対象書類名】特許請求の範囲
【補正対象項目名】全文
【補正方法】変更
【補正の内容】
【特許請求の範囲】
【請求項１】
携帯通信装置（２）であって、
３Ｄモデル化画像の表示が可能な表示部（１２）と、
前記表示部（１２）より下方に配置されたキーパッド上の複数のキー（１０）と、
前記画像の外見を制御し、かつ、前記画像を提供するための画像制御装置（２２）と、
前記携帯通信装置上に配置され、前記表示部（１２）の面に対し少なくとも９０°の広角度範囲で周辺光状態に関するデータを収集するための検出器要素（１８）と、
収集したデータを周辺光状態のマップに変換する画像処理部（２０）とを備え、
前記画像制御装置（２２）は、前記周辺光状態のマップに応じて、３次元画像の影が前記携帯通信装置の前記キー（１０）の影に一致するように、前記３次元画像をモデル化する
ことを特徴とする携帯通信装置。
【請求項２】
前記検出器要素（１８）は広角レンズを備えたカメラであることを特徴とする請求項１に記載の携帯通信装置（２）。
【請求項３】
前記検出器要素（１８）は低解像度カメラであることを特徴とする請求項２に記載の携帯通信装置（２）。
【請求項４】
前記検出器要素（１８）は、前記表示部（１２）と同一平面に椀状に配設されることを特徴とする請求項１乃至３のいずれか１項に記載の携帯通信装置（２）。
【請求項５】
前記検出器要素（１８）は少なくとも１６０°の広角度範囲を有することを特徴とする請求項１乃至４のいずれか１項に記載の携帯通信装置（２）。
【請求項６】
前記検出装置（１８）は色変動を検出するように構成されることを特徴とする請求項１乃至５のいずれか１項に記載の携帯通信装置（２）。
【請求項７】
バックライト制御装置（２４）をさらに備え、該バックライト制御装置（２４）は、前記周辺光状態マップに応じて前記バックライトを制御できるように、前記画像処理装置（２０）に接続されることを特徴とする請求項１乃至６のいずれか１項に記載の携帯通信装置（２）。
【請求項８】
表示部（１２）より下方に配置されたキーパッド上の複数のキー（１０）を有する携帯通信装置（２）の前記表示部（１２）に表される前記３次元画像の外見を制御する方法であって、
前記表示部（１２）の平面に対して少なくとも９０°の広角度範囲内の周辺光状態に関するデータを収集するステップと、
前記収集済みデータを処理して周辺光状態マップに変換するステップと、
前記周辺光状態のマップに応じて、３次元画像の影が前記携帯通信装置（２）の前記キー（１０）の影に一致するように、前記３次元画像をモデル化するステップと、
モデル化された３次元画像を前記表示部（１２）に表示するステップと
を有することを特徴とする方法。
【請求項９】
前記周辺光のマップに応じてバックライト制御装置（２４）を制御するステップをさらに有することを特徴とする請求項８に記載の３次元画像の外見を制御する方法。
【国際調査報告】
2011520308.tif 000006
2011520308.tif 000007
2011520308.tif 000008